(57)【要約】【課題】組付けの単純化を達成したトップローラサポート・ウェイティングアームを提供する。【解決手段】圧縮ばね（１１，１２，１３）がプラスチック成形部分として構成されているようにした。【選択図】図１
2009121016.tif 000002
【特許請求の範囲】
【請求項１】
ドラフト機構においてトップローラ（７，８，９）を収容するためのリンク（４，５，６）を備えたトップローラサポート・ウェイティングアームであって、所属のトップローラ（７，８，９）を負荷するためにばね弾性的な圧縮ばね（１１，１２，１３）が保持装置（４，５，６）に対応配置されているトップローラサポート・ウェイティングアームにおいて、前記圧縮ばね（１１，１２，１３）がプラスチック成形部分として構成されていることを特徴とする、トップローラサポート・ウェイティングアーム。
【請求項２】
前記圧縮ばね（１１，１２，１３）が複数設けられており、トップローラ（７，８，９）の前記複数の圧縮ばね（１１，１２，１３）が種々異なる外側輪郭を有している、請求項１記載のトップローラサポート・ウェイティングアーム。
【請求項３】
前記複数の圧縮ばね（１１，１２，１３）が互いに異なる軸線方向膨張量を有している、請求項１又は２記載のトップローラサポート・ウェイティングアーム。
【請求項４】
前記複数の圧縮ばね（１１，１２，１３）が種々異なる直径を有している、請求項１から３までのいずれか一項記載のトップローラサポート・ウェイティングアーム。
【請求項５】
前記複数の圧縮ばね（１１，１２，１３）が種々異なる弾性率を有している、請求項１から４までのいずれか一項記載のトップローラサポート・ウェイティングアーム。
【請求項６】
前記複数の圧縮ばね（１１，１２，１３）が円柱状に構成されている、請求項１から５までのいずれか一項記載のトップローラサポート・ウェイティングアーム。
【請求項７】
前記複数の圧縮ばね（１１，１２，１３）の端面に切欠き（１５）が備え付けられている、請求項１から６までのいずれか一項記載のトップローラサポート・ウェイティングアーム。
【請求項８】
前記複数の圧縮ばね（１１，１２，１３）が中空円柱状に形成されている、請求項６記載のトップローラサポート・ウェイティングアーム。
【請求項９】
１つ又は複数の前記圧縮ばね（１１，１２，１３）が複数の部分から構成されている、請求項１から８までのいずれか一項記載のトップローラサポート・ウェイティングアーム。
【請求項１０】
前記複数お圧縮ばね（１１，１２，１３）が負荷方向で多層の構造体（１１ａ，１１ｂ）を有している、請求項９記載のトップローラサポート・ウェイティングアーム。
【請求項１１】
前記複数の圧縮ばね（１１，１２，１３）がそれぞれ種々異なる色を有している、請求項１から１０までのいずれか一項記載のトップローラサポート・ウェイティングアーム。
【発明の詳細な説明】
【技術分野】
【０００１】
本発明は、ドラフト機構においてトップローラを収容するためのリンクを備えたトップローラサポート・ウェイティングアームであって、所属のトップローラを負荷するためのばね弾性的な圧縮ばねが保持装置に対応配置されているトップローラサポート・ウェイティングアームに関する。
【背景技術】
【０００２】
紡績機械のためのドラフト機構は、一般的にトップローラサポート・ウェイティングアームを有している。このトップローラサポート・ウェイティングアームにおいては複数のトップローラが、有利にはばね弾性的なウェイティングエレメントにより個々に負荷可能である。有利な運転条件を得るために、個々のトップローラへの負荷圧が調節され、各紡績条件に適合させることができる。
【０００３】
この種のトップローラサポート・ウェイティングアームがＤＥ４２４３２９２Ｃ１から公知である。トップローラサポート・ウェイティングアームはトップローラの収容のための保持装置を有している。この形態において個々の保持装置は圧縮コイルばねのばね力により負荷され、これによってトップローラは規定可能な力でドラフト機構の対応するボトムローラに対して押し付けられる。保持装置に設けられたトップローラの種々異なる負荷段階への適合のための押圧調節は操作しようとする切換偏心器により行われ、この切換偏心器を介して各圧縮コイルばねのプリロードを調節することができる。
【特許文献１】ＤＥ４２４３２９２Ｃ１
【発明の開示】
【発明が解決しようとする課題】
【０００４】
欠点としては、螺旋に巻成されたスプリングワイヤから製造された圧縮コイルばねは、水平に終わっているワイヤ端部にもかかわらず、製造条件により平坦な立設面を有していないという点である。従ってドラフト機構の取付け時には、保持装置の立設面に対する圧縮コイルばねの傾倒状態及び傾きを避けるために、コイルばねを方向付けて取り付ける必要がある。このことはドラフト機構の組付け時に相応に高い手間となる。
【０００５】
従って、本発明の課題は、上記トップローラサポート・ウェイティングアームを改良して、組付けの単純化を達成したトップローラサポート・ウェイティングアームを提供することである。
【課題を解決するための手段】
【０００６】
上記課題を解決するための本発明に係るトップローラサポート・ウェイティングアームは、圧縮ばねがプラスチック成形部分として構成されるようになっている。
【０００７】
本発明の別の有利な形態は従属請求項の対象である。
【０００８】
本発明において、有利には、圧縮ばねが複数設けられており、トップローラの複数の圧縮ばねが種々異なる外側輪郭を有している。
【０００９】
本発明において、有利には、前記複数の圧縮ばねが互いに異なる軸線方向膨張量を有している。
【００１０】
本発明において、有利には、前記複数の圧縮ばねが種々異なる直径を有している。
【００１１】
本発明において、有利には、前記複数の圧縮ばねが種々異なる弾性率を有している。
【００１２】
本発明において、有利には、前記複数の圧縮ばねが円柱状に構成されている。
【００１３】
本発明において、有利には、前記複数の圧縮ばねの端面に切欠きが備え付けられている。
【００１４】
本発明において、有利には、前記複数の圧縮ばねが中空円柱状に構成されている。
【００１５】
本発明において、有利には、１つ又は複数の前記圧縮ばねが複数の部分から構成されている。
【００１６】
本発明において、有利には、前記複数の圧縮ばねが負荷方向で多層の構造体を有している。
【００１７】
本発明において、有利には、前記複数の圧縮ばねがそれぞれ種々異なる色を有している。
【発明の効果】
【００１８】
請求項１によれば圧縮ばねはプラスチック成形部分として構成されていることが提案されている。プラスチック成形部分として構成された圧縮ばねの実質的な利点は多様な成形付与にある。この成形付与はプラスチックから成る圧縮ばねの製造時に達成可能であり、これにより圧縮ばねは各取付けスペースに適合することができる。更にプラスチック成形部分として形成された圧縮ばねは、金属から成るばねとは異なり、僅かな重量という利点、簡単に製造が可能であること、プラスチックが備えている緩衝特性及び優れた取扱いを有している。組付けの簡略化のために、圧縮ばねは互いに平行な２つの立設面を有している。これらの立設面はフラットに構成されていて、トップローラサポート・ウェイティングアームによって加えられる圧力の吸収のために働く。
【００１９】
有利には、トップローラの圧縮ばねは種々異なる外側輪郭を有していてよい。従って圧縮ばねは簡単にトップローラサポート・ウェイティングアームにおける取付けスペースの空間的な状況に調和できる。
【００２０】
更に圧縮ばねは互いに異なる軸線方向膨張量を有していてよい。圧縮ばねは種々異なる直径を有していてもよい。特に圧縮ばねは種々異なる弾性率を有していてよい。従って入口ローラ、中間ローラ又は出口ローラに加えようとする圧力を可変に予め調節できる。圧縮ばねの種々異なる軸線方向膨張量は、入口ローラ、中間ローラ又は出口ローラのための圧縮ばねを製造するために同じプラスチックを使用する場合、圧縮ばねの高さ又は直径を変更することにより相互に合わせて調整できる。
【００２１】
特に、圧縮ばねは円柱状に構成されていてよい。このために圧縮ばねは円形の横断面を有していてよく、正方形又は直方体形のような横断面を有していてもよい。
【００２２】
更に圧縮ばねの端面には切欠きが設けられていてよい。これらの切欠きは、たとえば円柱状のピン又はねじが部分的に圧縮ばねに突入することにより、トップローラサポート・ウェイティングアームでの簡単な配置及び固定のために働く。
【００２３】
択一的には圧縮ばねは中空円柱状に形成されていてよい。
【００２４】
有利には、１つ又は複数の圧縮ばねは複数の部分から構成されていてよい。このために圧縮ばねは負荷方向で多層構造を有していてよい。この多層構造は、種々異なる緩衝特性を備えたプラスチックの使用に基づく。これらのプラスチックは重なって載置されるので、規定の緩衝特性を備えた圧縮ばねを形成する。
【００２５】
有利には、圧縮ばねはそれぞれ種々異なるカラー、つまり色を有していてよい。個々の圧縮ばねの種々異なる色付けは、入口ローラ、中間ローラ及び出口ローラの保持装置に対する圧縮ばねの対応配置を示している。これにより組付け時にトップローラサポート・ウェイティングアームにおける形状に関して同形の圧縮ばねの取付けが簡略になる。圧縮ばねのそれぞれの対応配置は、規定可能なカラーコーディング（Ｆａｒｂｋｏｄｉｅｒｕｎｇ）に基づいて行われる。
【発明を実施するための最良の形態】
【００２６】
本発明を実施するための最良の形態を図面につき詳しく説明する。
【００２７】
図１にはトップローラ７，８，９のための調整可能なウェイティングエレメントを備えた紡績機械ドラフト機構のトップローラサポート・ウェイティングアーム１の部分断面図が示されている。トップローラサポート・ウェイティングアーム１は定置式のサポートロッド２において保持されている支持体３に旋回可能に支承されていて、操作レバー（図示せず）を介して操作可能である。ウェイティングエレメントは、それぞれ出口ローラ、中間ローラ及び入口ローラとして配置されているトップローラのためのリンク４，５，６を有している。ドラフト機構のトップローラはツインローラとして形成されていて、ドラフト機構のトップローラの軸はリンク４，５，６の収容部において支承されている。リンク４，５，６はばね弾性的な圧縮ばね１１，１２，１３により、トップローラサポート・ウェイティングアーム１の閉鎖ポジションにて負荷される。
【００２８】
圧縮ばね１１，１２，１３はプラスチックから成っていて、ほぼ円柱状に形成されている。プラスチック成形部分として形成された圧縮ばね１１，１２，１３は互いに平行で平坦な立設面（Ａｕｆｓｔａｎｄｓｆｌａｅｃｈｅ）を有している。前記立設面によりトップローラサポート・ウェイティングアーム１への方向付けされていない取付けが可能になる。圧縮ばね１１，１２，１３の特性は弾性率、つまりひいては圧縮ばね１１，１２，１３が製造されるプラスチック材料により決定的に規定される。各リンク４，５，６に加えようとする負荷に対応して、各圧縮ばね１１，１２，１３は種々異なるプラスチックから成っていてよいか、又は互いに異なる輪郭、直径又は負荷方向での軸線方向膨張量を有していてよい。
【００２９】
図２にはほぼたる形の輪郭を有する圧縮ばね１３が示されている。端面には切欠き１５が設けられていて、これらの切欠き１５はリンク４もしくはトップローラサポート・ウェイティングアーム１に取り付けるためのピン又はねじを収容するために働く。
【００３０】
また、負荷方向で複数のセグメント１１ａ，１１ｂが相前後して配置されている場合には、圧縮ばね１１，１２，１３の多層の構造も考慮可能である。前記セグメント１１ａ，１１ｂは種々異なるプラスチックから成っていて、たとえば図４に示した圧縮ばね１１のように圧縮ばね１１，１２，１３を形成する。しかし圧縮ばね１１，１２，１３に同じ形状が付与され且つ同じ寸法で設定されている場合、トップローラに対する正確な取付け、あるいは正確な対応配置を保証するために、圧縮ばね１１，１２，１３は種々異なる色を有することができる。これらの色は緩衝特性を表現するものである。
【００３１】
更に図３には中空円柱状の圧縮ばね１２の断面図が示されている。圧縮ばね１２のこの形態においては収容部１５を省くことができる。
【図面の簡単な説明】
【００３２】
【図１】トップローラサポート・ウェイティングアームの部分断面図である。
【図２】圧縮ばねの断面図である。
【図３】中空円柱状の圧縮ばねの断面図である。
【図４】複数の部分から成る圧縮ばねを示した図である。
【符号の説明】
【００３３】
１  トップローラサポート・ウェイティングアーム、  ２  サポートロッド、  ３  支持体、  ４，５，６  リンク、  ７  出口ローラ、  ８  中間ローラ、  ９  入口ローラ、  １１，１２，１３  圧縮ばね、  １１ａ，１１ｂ  セグメント、  １５  切欠き
【図１】
2009121016.tif 000003
【図２】
2009121016.tif 000004
【図３】
2009121016.tif 000005
【図４】
2009121016.tif 000006